(57)【要約】【課題】給水管との接続を手探りでも確実に行うことができるものとする。【解決手段】流し台内に設置されるとともに給水管３が接続される水処理装置である。給水管３のプラグ部３１が差し込まれてプラグ部３１外周に配されたシール部材３６が内周面に接する給水継手を備えるとともに、給水管に設けられて前記プラグ部に対して軸回りの回転が自在な袋ナット３０が螺合する雄ねじ４１を上記給水継手が備える。袋ナットによる接続連結でプラグ部が給水継手内に入り込んで軸シールがなされる。【選択図】図１
2008255717.tif 000002
【特許請求の範囲】
【請求項１】
流し台内に設置されるとともに給水管が接続される水処理装置であって、上記給水管のプラグ部が差し込まれてプラグ部外周に配されたシール部材が内周面に接する給水継手を備えるとともに、上記給水管に設けられて前記プラグ部に対して軸回りの回転が自在な袋ナットが螺合する雄ねじを上記給水継手が備えていることを特徴とする水処理装置。
【請求項２】
給水継手に設けたフランジと、給水管の袋ナットに設けたフランジとが嵌り込む溝を備えたクリップが着脱自在となっているとともに、給水継手を囲む壁面にクリップの取り付け位置規制用の凹所を備えていることを特徴とする請求項１記載の水処理装置。
【発明の詳細な説明】
【技術分野】
【０００１】
本発明は、流し台内に設置される浄水器や電解水生成装置のような水処理装置に関するものである。
【背景技術】
【０００２】
浄水器や電解水生成装置のような水処理装置には、流し台内部に設置される本体と、流し台上面に設置される水栓部とから構成されるものがある。このタイプのものでは、流し台内部において、蛇口に至る水道配管から分岐した給水管を上記本体に接続するとともに、本体と上記水栓部とを接続管で接続し、本体内で処理した後の水は上記水栓部を通じて吐出する。
【０００３】
ここにおいて、流し台内に設置した本体の背面側にある給水継手に上記給水管を接続するのであるが、流し台内の狭いスペースに置かれた本体の背面側に給水継手があることから、給水管と給水継手との接続作業は手探りでの作業となってしまう。
【０００４】
上記接続作業を容易とするために、給水継手に設けたフランジと、給水管端部に設けたフランジとを突き合わせた接続部に、弾性を有するクリップ（特許文献２参照）を嵌め付けて、両フランジをクリップが備える溝に嵌め込むことで上記接続が完了するようにすることがなされているが、この場合、クリップを誤ってずれた位置に装着してしまってクリップによる接続が正しくなされていない状態となることがあり、この場合、接続部に水圧が加わると、水漏れが生じたり、接続が外れて流し台内を水浸しにしてしまうことがある。
【特許文献１】特開２００４−２３２３８２号公報
【特許文献２】特開平６−２６４４８０号公報
【発明の開示】
【発明が解決しようとする課題】
【０００５】
本発明は上記の従来の問題点に鑑みて発明したものであって、給水管との接続を手探りでも確実に行うことができる水処理装置を提供することを課題とするものである。
【課題を解決するための手段】
【０００６】
上記課題を解決するために本発明は、流し台内に設置されるとともに給水管が接続される水処理装置において、上記給水管のプラグ部が差し込まれてプラグ部外周に配されたシール部材が内周面に接する給水継手を備えるとともに、上記給水管に設けられて前記プラグ部に対して軸回りの回転が自在な袋ナットが螺合する雄ねじを上記給水継手が備えていることに特徴を有している。袋ナットによる接続連結とするとともにプラグ部が給水継手内に入り込んで軸シールがなされるようにしたものである。
【０００７】
この時、給水継手に設けたフランジと、給水管の袋ナットに設けたフランジとが嵌り込む溝を備えたクリップが着脱自在となっているとともに、給水継手を囲む壁面にクリップの取り付け位置規制用の凹所を備えていると、正しい位置にしか取り付けることができないクリップによって、接続をより確実なものとすることができる。
【発明の効果】
【０００８】
本発明は、給水管の給水継手への接続を袋ナットによる接続としているために確実に接続を行うことができる上に、プラグ部が給水継手内に入り込んで軸シールを行うために、袋ナットが少々緩んでも水漏れを起こすことがない。
【０００９】
しかもクリップを併用することでより確実な接続を行うことができる上に、該クリップは凹所で規制される正しい位置でしか取り付けが行えないために、クリップを誤った箇所に取り付けてしまう虞がなく、クリップを用いることによる確実な接続が常に得られるものである。
【発明を実施するための最良の形態】
【００１０】
以下、本発明を添付図面に示す実施形態に基いて説明する。図２は本発明に係る水処理装置の一例を示すもので、電解水生成装置である図示例の水処理装置は、濾過浄水部と電解槽とを備えて流し台９内に配設される本体１と、流し台９の上面に設置される水栓部２とからなり、本体１と水栓部２とは２本の接続管２１，２２で接続されているとともに、水栓部２に設けた操作部２０と本体１内に設けた制御回路との接続用の信号線２３で接続されている。また、流し台９が備える蛇口８に至る水道配管の途中から分岐させた給水管３が本体１に接続されている。
【００１１】
上記給水管３は、本体１の背面に配された給水継手４に接続されて水道水を本体１に導くのであるが、給水継手４と給水管３との接続部の構造を図１に示す。本体１の背面に導出された給水継手４は、その先端部にフランジ４０を有しており、該フランジ４０よりも先端側の外周面には雄ねじ４１が設けられている。
【００１２】
また、給水管３の給水継手４に接続される端部には、給水継手４内に差し込まれるプラグ部３１と、該プラグ部３１の外周にあってプラグ部３１に対して遊転自在となっている袋ナット３０とが設けられており、内周面に雌ねじ３２が形成されている袋ナット３０の先端外周にはフランジ３４が形成されている。図中３５はプラグ部３１の外周面に設けられてプラグ部３１に対して袋ナット３０が抜け落ちないようにする抜け止め部、３６はプラグ部３１の外周面に装着されたシール部材としてのＯリングである。
【００１３】
給水管３を給水継手４に接続するにあたっては、給水管３のプラグ部３１を給水継手４の内部に差し込んだ上で、袋ナット３０を回して袋ナット３０の上記雌ねじ３２を給水継手４先端部外周面の雄ねじ４１に螺合させる。
【００１４】
この時、プラグ部３１は給水継手４の内部に入り込んで外周面のＯリング３６を給水継手４の内周面に接触させるために、軸シールがなされていることになり、このために袋ナット３０の締め付けが少々緩かったりしても、水漏れが生じたりすることはない。
【００１５】
なお、袋ナット３０を回す作業が必要となることから、給水継手４は本体１の背面で一側面寄りのところに配することで、上記作業をやりやすくしている。
【００１６】
また、ここでは図３や図４にも示すように、クリップ５も併用することでより確実な接続固定を行うことができるようにしている。すなわち、先端が開くとともに周面に溝５０を備えているクリップ５を、上記給水継手４と袋ナット３０との外周に被せて、給水継手４のフランジ４０と袋ナット３０先端のフランジ３４とを上記溝５０内に嵌め込むのである。この結果、袋ナット３０が緩んで抜け落ちたりすることが防止される。
【００１７】
しかも、ここではクリップ５を用いるにあたってクリップ５がずれて装着されてしまう虞を無くすために、本体１における上記接続部の下方に位置する壁面（図示例では脚片１９の上面）と接続部との間の距離Ｈをクリップ９の先端部の開口幅Ｗに比して小さくする（Ｗ＞２Ｈ）とともに、上記壁面における上記フランジ４０，３４の位置に対応するところに凹所１５を設けて、クリップ５を正しく装着した時にはその一方の先端が凹所１５に入るようにしてある。
【００１８】
フランジ４０，３４が正しく溝５０内に嵌り込む位置にクリップ４を装着する時には、凹所１５の存在でクリップ５は支障なく装着することができるが、他の位置でクリップ５を装着しようとした場合、クリップ５の先端縁が脚片１９の上面に当たってクリップ５を装着することができないものであり、このために常に適切な位置にクリップ５を装着することができる。
【図面の簡単な説明】
【００１９】
【図１】本発明の実施の形態の一例における給水継手と給水管とを示すもので、(a)は分解断面図、(b)は断面図である。
【図２】同上の全体構成を示す斜視図である。
【図３】同上の部分分解斜視図である。
【図４】同上の部分断面図である。
【符号の説明】
【００２０】
１  本体
２  水栓部
３  給水管
４  給水継手
５  クリップ
３０  袋ナット
３１  プラグ部
３６  Ｏリング
【図１】
2008255717.tif 000003
【図２】
2008255717.tif 000004
【図３】
2008255717.tif 000005
【図４】
2008255717.tif 000006